(57)【要約】【課題】  音響システムの全ての構成をデータ化する必要がなく必要とする機器間の接続の状況だけをチェックする。【解決手段】  接続テンプレート選択画面において選択欄３４で選択することにより接続テンプレートを選択することができる。選択された接続テンプレートの接続図が表示される。この接続図の接続態様と同様に機器間を接続して音響システムを構築する。接続チェックは、選択された接続テンプレートの接続設定データと実際のポートの接続状況とを照合することにより行われ、一致しない接続図の箇所には「×」等の表示がされる。【選択図】  図３
2008219698.tif 000002
【特許請求の範囲】
【請求項１】
通信線を介して外部機器が少なくとも１台接続されることにより音響システムが構成される音響機器であって、
前記音響システムを構成する前記音響機器および前記外部機器が有する各ポートが接続される相手先のポートを特定するポート接続情報を含む予め用意された複数種類の接続設定データと、
該接続設定データのいずれかを選択する選択手段と、
前記選択手段により選択された前記接続設定データにおける前記ポート接続情報と、前記音響システムを構成する前記音響機器および前記外部機器が有する各ポートが実際に接続された相手先のポートのポート情報とを照合するチェック手段と、
前記チェック手段による照合結果を出力する出力手段と、
を備えることを特徴とする音響機器。
【請求項２】
前記選択手段により選択された前記接続設定データに基づいて構成される前記音響システムの前記音響機器および前記外部機器の接続態様を示す接続図が表示される表示手段を備え、
前記接続図には、前記音響機器および前記外部機器が有する各ポートと相手先のポートとを接続している通信線と、当該通信線で伝送されるデータがどの機器で処理されたデータかを示す情報が表示されていることを特徴とする請求項１記載の音響機器。
【請求項３】
前記音響機器および前記外部機器が備える各ポートとが、前記接続図にポート種類に対応するアイコンで表示されていることを特徴とする請求項２記載の音響機器。
【請求項４】
前記チェック手段では、前記外部機器に前記ポート接続情報を送信し、前記外部機器が有する各ポートが実際に接続された相手先のポートのポート情報と受信した前記ポート接続情報とを前記外部機器において照合した照合結果を受け取るようにしたことを特徴とする請求項２記載の音響機器。
【請求項５】
前記照合結果では、前記ポート接続情報と前記ポート情報とが一致しない箇所の情報にエラーがセットされており、前記出力手段ではエラーがセットされた前記箇所に対応する前記接続図にエラーがある旨の表示を行うようにしたことを特徴とする請求項４記載の音響機器。
【発明の詳細な説明】
【技術分野】
【０００１】
この発明は、通信線を介して外部機器が少なくとも１台接続されることにより音響システムが構成される音響機器に関する。
【背景技術】
【０００２】
従来、多数のマイクロホンあるいは電気・電子楽器などから出力されるオーディオ信号のレベルや周波数特性を調整し、ミキシングしていくつかのミキシング・グループにまとめてパワーアンプに送り出すコンサートホール等で使用されるミキシングコンソールが知られている。このミキシングコンソールとして、コンソール部とコンソール部に通信線を介して接続されているエンジン部とからなるミキシングコンソールが知られている。このミキシングコンソールにおいては、一般にステージから離れた観客席や、観客席の後方に設けられたコンソール室にコンソール部が設置され、コンソール部に接続されているエンジン部はステージの近傍に設置される。ミキシングコンソールを操作するオペレータは、コンソール部に備えられた各種パネル操作子を操作することで、楽器音や歌唱の各オーディオ信号の音量や音色を聴衆の聴く音を確認しながらミキシング操作して、演奏を最もふさわしく表現していると思われる状態に調整している。エンジン部は、オーディオ信号をミキシング処理する機能を有しており、アナログ入力ユニットやディジタル入力ユニットおよびアナログ出力ユニットやディジタル出力ユニットとされる複数の入力ユニットおよび出力ユニットが通信線を介して接続されている。そして、エンジン部は、入力ユニットから入力された複数のマイク／ライン入力をそれぞれ割り当てる複数の入力チャンネルを備え、入力チャンネルからのオーディオ信号をコンソール部からの制御信号に応じてミキシングし、複数の出力チャンネルに出力している。出力チャンネルからの出力は設定された出力ユニットに供給され、出力ユニットに接続されているスピーカ等から放音される。
【０００３】
ところで、コンサートホール等にミキシングコンソールを持ち込んで設置する場合においては、設置作業のために与えられる時間が非常に短いことが多く、様々な設置作業を迅速に実行する必要がある。また、コンソール部とエンジン部とは一般にカスケード接続されているが、カスケード接続ではコンソール部とエンジン部との間の距離を長くすることができず、長くするにはイーサネット（Ethernet）で接続する必要があった。そこで、コンソール部とエンジン部との間にカスケードとイーサネットとの間の変換を行うケーブリングユニットを設けて、コンソール部とエンジン部との間の距離を長くすることが提案されている。さらに、エンジン部には複数の入力ユニットや出力ユニットが接続されている。このように、従来のミキシングコンソールにおける設置作業では、コンソール部とエンジン部やケーブリングユニット、および、複数の入力ユニットや出力ユニットの接続を作業員が確認しながら接続する必要があるが、カスケードの伝送線もイーサネットの伝送線もある程度の長さを有していることから、どの機器どのポートに接続されているかを確認することは時間がかかる繁雑な作業であった。このため、設置作業時間を短縮することが困難であった。さらに、入力ユニットおよび出力ユニットにはオーディオプラグインカードを装着するようにされており、複数の入力ユニットや出力ユニットのスロット毎にオーディオプラグインカードを確認しながら装着しなければならず、さらに設置作業時間がかかることになっていた。
【０００４】
これを解決するために、従来、ミキシングコンソールの設置作業を行うにあたって、コンピュータにおいてアプリケーションプログラムを起動し、ミキシングコンソールに必要とされる機器やユニット間の接続の仕方、および、各ユニットのどのスロットにどのオーディオプラグインカードを装着するかを予め設定しておくようにする。そして、設置作業を行う際にコンソール部とエンジン部とを接続して両者の電源を投入し、コンピュータから予め設定した設定情報をコンソール部にロードする。その後、各種ユニットをエンジン部に接続していくと、実際の接続情報とロードされた設定情報とが対比されて誤ったユニットが接続された場合にその旨の警告が出力されるようになる。次いで、各種ユニットにオーディオプラグインカードを装着する場合も同様とされ、各種ユニットのスロットに誤ったオーディオプラグインカードが装着されるとその旨の警告が出力されるようになる。これにより、ミキシングコンソールの設置作業時間を短縮することができるようになる。
【特許文献１】特開２００２−３７４５８７号公報
【発明の開示】
【発明が解決しようとする課題】
【０００５】
従来では、ユーザがあらかじめミキシングコンソールのすべての構成をデータ化するようにしていた。このため、オーディオプラグインカードを挿入するスロットの位置などの設定も指定しなければならないため、データの作成そのものが煩雑になりデータ作成に長時間を要するという問題点があった。また、詳細な設定は一旦無視し、必要とする機器の接続だけをチェックしたい場合でも、すべての構成のデータを作成しなければならなかったため、簡易に使用できないという問題点があった。
【０００６】
そこで、本発明は音響システムの設置作業を行う際に、音響システムの全ての構成をデータ化する必要がなく必要とする機器間の接続の状況だけをチェックすることができる音響機器を提供することを目的としている。
【課題を解決するための手段】
【０００７】
上記目的を達成するために、本発明の音響機器は、予め用意された複数種類の接続設定データのうちから選択された接続設定データにおけるポート接続情報と、音響システムを構成する音響機器および外部機器が有する各ポートが実際に接続された相手先のポートのポート情報とを照合して照合結果を出力することを最も主要な特徴としている。
【発明の効果】
【０００８】
本発明によれば、予め用意された複数種類の接続設定データのうちから選択された接続設定データにおけるポート接続情報と、音響システムを構成する音響機器および外部機器が有する各ポートが実際に接続された相手先のポートのポート情報とを照合して照合結果を出力することから、音響システムの構成をデータ化することに替えて接続設定データのいずれかを選択すればよいことになる。また、照合されるのはポート接続情報と、音響システムを構成する音響機器および外部機器が有する各ポートが実際に接続された相手先のポートのポート情報とされることから、必要とする機器間の接続の状況だけをチェックすることができるようになる。
【発明を実施するための最良の形態】
【０００９】
本発明の実施例にかかる音響機器を備える音響システムの概要の構成を示すブロック図を図１に示す。
図１に示す音響システムは、音響システムにおいてマスタとされる音響機器１と、スレーブとされるミキサー等の外部機器１８との間を通信線６により接続することにより構成されている。この場合、外部機器１８に通信線を介してさらに外部機器を接続することができる。音響機器１は、音響システムがミキシングコンソールとされた際にコンソール部を少なくとも備えており、ミキシング処理を行う信号処理部を備えるようにしても良い。外部機器１８は、音響システムがミキシングコンソールとされた際にオーディオ信号をコンソール部からの制御信号に応じてミキシングするエンジン部とされる。音響機器１は、ＣＰＵ（Central Processing Unit）やＤＳＰ（Digital Signal Processor）を備える処理回路２と、ユーザがコンソール等の操作を行う操作部４と表示部３を備え、通信線６に接続するための通信回路５を備えている。外部機器１８はＤＳＰを備える処理回路１８ｂと、通信線６に接続するための通信回路１８ａを備えている。処理回路２、１８ｂにおけるＤＳＰは、複数のチャンネルの音響信号を処理するＤＳＰであり、複数の入力チャンネルをコンソール部からの制御信号に応じてミキシングし、複数の出力チャンネルに出力する信号処理を行っている。
【００１０】
次に、本発明にかかる音響機器１の詳細な構成を示すブロック図を図２に示す。
図２において、ＣＰＵ（Central Processing Unit）１０は音響機器１の全体の動作を制御すると共に、表示器１６に操作画面や後述する接続テンプレートを選択する際の画面等を表示する描画プログラムや制御用プログラム等の動作ソフトウェアを実行している。ＲＯＭ（Read Only Memory）１１には、接続テンプレート等のデータ、ＣＰＵ１０が実行する描画プログラムや制御用プログラム等の動作ソフトウェアが格納されており、ＲＡＭ（Random Access Memory）１２には、ＣＰＵ１０のワークエリアや各種データの記憶エリアが設定されている。このＲＯＭ１１をフラッシュメモリ等の書き換え可能なＲＯＭとすることで、動作ソフトウェアを書き換え可能となり接続テンプレートの追加や書き換え、動作ソフトウェアのバージョンアップを容易に行うことができる。ＤＳＰ１３は、前記したように複数のチャンネルの音響信号を処理する信号処理部である。
【００１１】
検出回路１５は、パネル操作子等の操作子１４を走査することによって操作子１４のイベントを検出して、イベントのあった操作子１４に対応するイベント出力を出力している。操作子１４には、各チャンネルのイコライジング特性やパン特性等を操作したりシーンの切換を行ったりするための多数の操作子が含まれている。表示回路１７は液晶表示器（ＬＣＤ）等の表示器１６を備え、この表示器１６に各チャンネルのパラメータ等を操作する際に各種設定を行える操作画面等が表示される。また、音響システムの設置時に選択された接続テンプレートの接続図が表示される。各種設定は、ＧＵＩ（Graphical User Interface）を利用した操作画面上においてユーザが設定操作を行えるようにされている。通信インターフェース（Ｉ／Ｆ）１９は、カスケード接続やイーサネットを介して外部機器１８を接続するインターフェースであり、このインタフェースを介して音響装置１と外部機器１８とが論理的に接続される。音声信号入力回路２１は、外部音を取り込むためのマイクなどの入力部２０から音響信号を音響機器１へ取り込んでおり、音声信号出力回路２３は、音響機器１から出力されるミキシング処理等の信号処理された音響信号を外部のスピーカ等の出力部２２へ出力して放音している。入力部２０は、マイク／ラインのオーディオ信号を入力する入力ユニットとすることができ、出力部２２はスピーカ等から放音する出力ユニットとすることができる。これらの各部は通信バス２４に接続されて、通信バス２４を介してデータの授受を行っている。
【００１２】
ここで、「接続テンプレート」は、音響システムにおける機器間の結線を表示するものであって、よく使われることが想定される音響システムにおける接続テンプレートが予め複数用意されてＲＯＭ１１等に格納されている。ユーザは、接続テンプレート選択画面を表示器１６に表示し、複数の接続テンプレートのうちから一つの接続テンプレートを選択する。これにより、表示器１６に選択された接続テンプレートの接続図が表示される。この接続図では、音響システムを構成する音響機器１と使用する台数の外部機器１８毎の枠が表示され、機器の枠内には当該機器が有している接続ポートのアイコンが表示される。接続ポートのアイコンは、カスケード接続用のアイコンとイーサネット用のアイコンとが用意されており、接続ポート間が接続されることにより機器間の接続経路が表示される。接続ポート間を接続する経路上にはどの機器で処理された信号かが表示される。そして、音響機器１と使用する台数の外部機器１８との設置作業を行っていく際に、電源が投入されると実際に接続された機器間の結線状況と選択された接続テンプレートとが照合されて、実際の結線が接続テンプレート通りになっているかどうかがチェックされてチェック結果が表示器１６に表示されるようになる。
【００１３】
なお、機器が備える接続ポートの種類はカスケード接続のポートとイーサネットのポートとされており、接続ポートの種類に応じたケーブルでポート間が接続される。また、機器同士の接続チェックは、アクティブセンスや、ポートＩＤの判別などを利用して行われるが、チェック対象とされるのは音響システムを構築する音響機器１と外部機器１８との「機器の結線状況」とされる。そして、外部機器１８として接続される各種ユニットに備えられるプラグインカードを挿入するスロット等の接続状況は接続チェックの対象外とされる。このことから、接続テンプレートはチェック対象とされている音響システムを構築する音響機器１と外部機器１８との「機器の結線状況」を規定するものと云うことができる。接続チェックでは、よく使われることが想定される接続テンプレートの接続情報と機器間の実際の結線情報とが比較されるため、コンサートホール等にミキシングコンソール等の音響システムを持ち込んで設置する場合に、音響システムを構成する複数の機器間の結線チェックを容易に行えるようになる。また、機器間の接続がチェックできればよいことから、機器の詳細な設定までをあらかじめ接続テンプレートに仕込んでおく必要をなくすことができる。
【００１４】
次に、表示器１６に表示される接続テンプレート選択画面の一例を図３に示す。
図３に示す接続テンプレート選択画面（Connection Select）には下部に接続テンプレートの選択欄３４が表示され、その下にキャンセルボタン（Cancel）３５と実行ボタン（OK）３６とが表示され、上部には選択欄３４で選択された接続テンプレートの接続図３０が表示されている。選択欄３４には、予め用意されているよく使われることが想定される例えば５種類の接続テンプレートからなるリストが図示されており、接続テンプレート名は、使用する機器名と機器の間を接続する通信路の種類（カスケード接続およびイーサネット）で示されている。この場合、伝送距離を長くすることのできないカスケード接続は「−」で示され、伝送距離を長くすることのできるイーサネットは「−−−−−−−」で示されている。図３においては、「ＰＭ５Ｄ−ＤＣＵ５Ｄ−−−−−−−ＤＳＰ５０」の接続テンプレートが選択されて、実行ボタン３６が押された際の接続図３０が上部に表示されている。
【００１５】
選択されている接続テンプレート名における「ＰＭ５Ｄ」はＤＳＰ１３を有するミキシングコンソールであり、ミキシング処理を行う処理部とミキシング処理を制御するコンソール部とを備えている。「ＤＣＵ５Ｄ」はカスケード接続の信号とイーサネットの信号との間の変換を行っているケーブリングユニットであり、後続する機器との間の距離を長くすることができる。「ＤＳＰ５Ｄ」はミキシング処理を行う拡張用の処理ユニットであり、ミキシング処理の制御は通信路を介して接続されたミキシングコンソールにより行われる。この接続テンプレートで示される音響システムは、ミキシングコンソール（ＰＭ５Ｄ）とケーブリングユニット（ＤＣＵ５Ｄ）との間がカスケード接続され、ケーブリングユニット（ＤＣＵ５Ｄ）と処理ユニット（ＤＳＰ５Ｄ）との間がイーサネットで接続されて構成されている。なお、カスケード接続の伝送方向は単方向とされ、イーサネットの伝送方向は双方向とされている。
【００１６】
選択された接続テンプレートの接続図３０には音響システムを構成する機器の接続態様が表示されており、音響機器１に相当しているミキシングコンソール（ＰＭ５Ｄ  ＃１）３１は、カスケード接続の出力ポート３１ａと入力ポート３１ｂを備えているが、イーサネットのポートは備えていない。カスケード接続の端子はＤ−ｓｕｂ６８ピンとされ、この端子がアイコン化されてカスケード接続のポートが表示されている。また、外部機器１８であるケーブリングユニット（ＤＣＵ５Ｄ）３２は、カスケード接続の入力ポート３２ａと出力ポート３２ｃ、および、イーサネットのポート３２ｂとを備えている。イーサネットの端子はＲＪ４５端子とされ、この端子がアイコン化されてイーサネットのポートが表示されている。さらに、オーディオ信号の処理チャンネル数を拡張する外部機器１８である処理ユニット（ＤＳＰ５Ｄ  ＃２）３３は、イーサネットのポート３３ａ、および、カスケード接続の出力ポート３３ｂと入力ポート３３ｃとを備えている。処理ユニット３３のオーディオ処理能力はミキシングコンソール３１と同等とされている。
【００１７】
接続図３０において、ミキシングコンソール３１のカスケード接続の出力ポート３１ａはケーブリングユニット３２のカスケード接続の入力ポート３２ａに接続されて、ミキシングコンソール３１で処理された信号が出力ポート３１ａから出力されて入力ポート３２ａに入力されている。このポート間を接続する接続経路上には「＃１」を意味する「１」が表示されてミキシングコンソール３１で処理された信号が当該接続経路で伝送されることが示されている。また、ケーブリングユニット３２のカスケード接続の出力ポート３２ｃはミキシングコンソール３１のカスケード接続の入力ポート３１ｂに接続され、ポート間を接続する接続経路上には「１＋２」が表示されてミキシングコンソール３１および処理ユニット３３で処理された信号が当該接続経路で伝送されることが示されている。これにより、ミキシングコンソール３１において処理ユニット３３で処理された信号も扱えるようになる。さらに、ケーブリングユニット３２のイーサネットの双方向のポート３２ｂは処理ユニット３３のイーサネットの双方向のポート３３ａに接続され、ポート間を接続する下りの接続経路上には「１」が表示されてミキシングコンソール３１で処理された信号が当該接続経路で伝送されることが示されており、上りの接続経路上には「１＋２」が表示されてミキシングコンソール３１および処理ユニット３３で処理された信号が当該接続経路で伝送されることが示されている。これにより、処理ユニット３３においてミキシングコンソール３１で処理された信号も扱えるようになる。
【００１８】
なお、ケーブリングユニット３２においてイーサネットのポート３２ｂで受信された信号はカスケード接続の信号に変換されて出力ポート３２ｃから出力される。このことが、破線の矢印３２ｄで示されている。また、処理ユニット３３のカスケード接続の出力ポート３３ｂには外部機器１８とされる出力ユニットを接続することができ、出力ユニットを介してミキシングコンソール３１および処理ユニット３３で処理されたオーディオ信号をスピーカ等から放音することができる。さらに、処理ユニット３３のカスケード接続の入力ポート３３ｃには外部機器１８である入力ユニットを接続することができ、入力ユニットからマイク／ライン入力を入力することができるようになる。
ここで、カスケード接続のポートからは、例えば最大３２チャンネルからなるフレーム信号を単方向で伝送することができる。また、イーサネットのポートからは、最大３２チャンネルからなるフレーム信号を双方向で伝送することができる。そして、イーサネットの場合は仕様により１台の機器においてイーサネットのポートから受信できる（取り込める）最大チャンネル数は３２チャンネルとされ、イーサネットのポートから送信できる（書き込める）最大チャンネル数も３２チャンネルとされている。
【００１９】
次に、接続テンプレート選択画面の選択欄３４において「ＰＭ５Ｄ−ＤＳＰ５Ｄ」の接続テンプレートが選択されて実行ボタン３６が押された際に、表示される接続図４０を図４に示す。選択された接続テンプレートでは、ミキシングコンソール（ＰＭ５Ｄ）と、ミキシング処理を行う拡張用の処理ユニット（ＤＳＰ５Ｄ）から音響システムが構成されており、ミキシングコンソールと処理ユニットとの間はカスケード接続されて短い距離で配置されている。
接続図４０において、ミキシングコンソール（ＰＭ５Ｄ  ＃１）４１のカスケード接続の出力ポート４１ａは処理ユニット（ＤＳＰ５Ｄ  ＃２）４２のカスケード接続の入力ポート４２ａに接続され、接続経路上には「１」が表示されてミキシングコンソール４１で処理された信号が当該接続経路で伝送されることが示されている。また、処理ユニット４２のカスケード接続の出力ポート４２ｂはミキシングコンソール４１のカスケード接続の入力ポート４１ｂに接続され、接続経路上には「１＋２」が表示されてミキシングコンソール４１および処理ユニット４２で処理された信号が当該接続経路で伝送されることが示されている。これにより、ミキシングコンソール４１において処理ユニット４２で処理された信号も扱えるようになる。そして、処理ユニット４２のイーサネットの双方向のポート４２ｃには、外部機器１８とされる出力ユニットや入力ユニットを接続することができ、出力ユニットを介してミキシングコンソール４１および処理ユニット４２で処理されたオーディオ信号をスピーカ等から放音することができると共に、入力ユニットからマイク／ライン入力を入力することができるようになる。
【００２０】
次に、接続テンプレート選択画面の選択欄３４において「ＰＭ５Ｄ−ＤＳＰ５Ｄ−ＤＳＰ５Ｄ」の接続テンプレートが選択されて実行ボタン３６が押された際に、表示される接続図５０を図５に示す。選択された接続テンプレートでは、ミキシングコンソール（ＰＭ５Ｄ）と、ミキシング処理を行う拡張用の２台の処理ユニット（ＤＳＰ５Ｄ）から音響システムが構成されており、ミキシングコンソールと２台の処理ユニットとの間がそれぞれカスケード接続されて短い距離で配置されている。ただし、２台の処理ユニットの間はイーサネットで接続されている。
接続図５０において、ミキシングコンソール（ＰＭ５Ｄ  ＃１）５１のカスケード接続の出力ポート５１ａは第１の処理ユニット（ＤＳＰ５Ｄ  ＃２）５２のカスケード接続の入力ポート５２ａに接続され、接続経路上には「１」が表示されてミキシングコンソール５１で処理された信号が当該接続経路で伝送されることが示されている。また、第１の処理ユニット５２のイーサネットの双方向のポート５２ｂは第２の処理ユニット（ＤＳＰ５Ｄ  ＃３）５３のイーサネットの双方向のポート５３ａに接続され、下りの接続経路上には「１＋２」が表示されてミキシングコンソール５１および第１の処理ユニット５２で処理された信号が当該接続経路で伝送されることが示されており、上りの接続経路上には「１＋２＋３」が表示されてミキシングコンソール５１および第１の処理ユニット５２および第２の処理ユニット５３で処理された信号が当該接続経路で伝送されることが示されている。これにより、第２の処理ユニット５３においてミキシングコンソール５１および第１の処理ユニット５２で処理された信号も扱えるようになると共に、第１の処理ユニット５２においてミキシングコンソール５１および第２の処理ユニット５３で処理された信号も扱えるようになる。
【００２１】
そして、第２の処理ユニット５３のカスケード接続の出力ポート５３ｂはミキシングコンソール５１のカスケード接続の入力ポート５１ｂに直接接続され、接経路上には「１＋２＋３」が表示されてミキシングコンソール５１および第１の処理ユニット５２および第２の処理ユニット５３で処理された信号が当該接続経路で伝送されることが示されている。これにより、ミキシングコンソール５１は第１の処理ユニット５２および第２の処理ユニット５３で処理されたオーディオ信号を扱うことができるようになる。また、第１の処理ユニット５２のカスケード接続の出力ポート５２ｃに外部機器１８とされる出力ユニットを接続することができる。そして、出力ユニットを介してミキシングコンソール５１および第１の処理ユニット５２および第２の処理ユニット５３で処理されたオーディオ信号をスピーカ等から放音することができる。
なお、第１の処理ユニット５２のカスケード接続の出力ポート５２ｃをミキシングコンソール５１のカスケード接続の入力ポート５１ｂに接続してもよいが、このように接続すると第１の処理ユニット５２からミキシングコンソール５１および第１の処理ユニット５２および第２の処理ユニット５３で処理されたオーディオ信号を出力することができなくなる。
【００２２】
次に、接続テンプレート選択画面の選択欄３４において「ＰＭ５Ｄ−ＤＣＵ５Ｄ−−−−−−−ＤＳＰ５Ｄ−ＤＳＰ５Ｄ」の接続テンプレートが選択されて実行ボタン３６が押された際に、表示される接続図６０を図６に示す。選択された接続テンプレートでは、ミキシングコンソール（ＰＭ５Ｄ）と、ケーブリングユニットＤＣＵ５Ｄと、ミキシング処理を行う拡張用の２台の処理ユニット（ＤＳＰ５Ｄ）から音響システムが構成されており、ミキシングコンソールとケーブリングユニットとの間がカスケード接続されており、ケーブリングユニットと１台目の処理ユニットとの間がイーサネットで接続されて長い距離で配置されており、２台の処理ユニット間はイーサネットおよびカスケード接続で接続されて短い距離で配置されている。
【００２３】
接続図６０において、ミキシングコンソール（ＰＭ５Ｄ  ＃１）６１のカスケード接続の出力ポート６１ａはケーブリングユニット（ＤＣＵ５Ｄ）６２のカスケード接続の入力ポート６２ａに接続されて、ミキシングコンソール６１で処理された信号が出力ポート６１ａから出力されて入力ポート６２ａに入力されている。このポート間を接続する接続経路上には「１」が表示されてミキシングコンソール６１で処理された信号が当該接続経路で伝送されることが示されている。また、ケーブリングユニット６２のカスケード接続の出力ポート６２ｃはミキシングコンソール６１のカスケード接続の入力ポート６１ｂに接続され、ポート間を接続する接続経路上には「１＋２＋３」が表示されてミキシングコンソール６１、第１の処理ユニット（ＤＳＰ５Ｄ  ＃２）６３および第２の処理ユニット（ＤＳＰ５Ｄ  ＃３）６４で処理された信号が当該接続経路で伝送されることが示されている。これにより、ミキシングコンソール５１において第１の処理ユニット６３および第２の処理ユニット６４で処理された信号も扱えるようになる。さらに、ケーブリングユニット６２のイーサネットの双方向のポート６２ｂは第１の処理ユニット６３のイーサネットの双方向のポート６３ａに接続され、ポート間を接続する下りの接続経路上には「１」が表示されてミキシングコンソール６１で処理された信号が当該接続経路で伝送されることが示されており、上りの接続経路上には「１＋２＋３」が表示されてミキシングコンソール６１、第１の処理ユニット６３および第２の処理ユニット６４で処理された信号が当該接続経路で伝送されることが示されている。なお、ケーブリングユニット６２においてイーサネットのポート６２ｂで受信された信号はカスケード接続の信号に変換されて出力ポート６２ｃから出力される。このことが、破線の矢印６２ｄで示されている。
【００２４】
また、第１の処理ユニット６３のイーサネットの双方向のポート６３ｂは第２の処理ユニット６４のイーサネットの双方向のポート６４ａに接続され、下りの接続経路上には「１＋２」が表示されてミキシングコンソール６１および第１の処理ユニット６３で処理された信号が当該接続経路で伝送されることが示されており、上りの接続経路上には「１＋２＋３」が表示されてミキシングコンソール６１および第１の処理ユニット６３および第２の処理ユニット６４で処理された信号が当該接続経路で伝送されることが示されている。これにより、第２の処理ユニット６４においてミキシングコンソール６１および第１の処理ユニット６３で処理された信号も扱えるようになる。ここで、前述したように１台の機器においてはイーサネットを介して受信できる（取り込める）最大チャンネル数は３２チャンネルとされていることから、第１の処理ユニット６３のポート６３ａにおいて３２チャンネル受信している場合には、ポート６３ｂから信号を取り込めなくなる。そこで、ポート６３ｂからの信号を取り込むことなくスルーしてポート６３ａから出力している。このことが、破線の矢印で示されている。
【００２５】
このように、第１の処理ユニット６３ではポート６３ｂからの信号を取り込むことなくスルーしていることから、第２の処理ユニット６４で処理した信号を取り込めない。そこで、第２の処理ユニット６４のカスケード接続の出力ポート６４ｂと第１の処理ユニット６３の入力ポート６３ｃとを接続することにより、第２の処理ユニット６４で処理した信号を第１の処理ユニット６３が取り込めるようにしている。これにより、第１の処理ユニット６３においてミキシングコンソール６１および第２の処理ユニット６４で処理された信号も扱えるようになる。なお、出力ポート６４ｂと入力ポート６３ｃとを接続する接続経路上には「１＋２＋３」が表示されてミキシングコンソール６１、第１の処理ユニット６３および第２の処理ユニット６４で処理された信号が当該接続経路で伝送されることが示されている。そして、第１の処理ユニット６３のカスケード接続の出力ポート６３ｄには外部機器１８とされる出力ユニットを接続することができ、出力ユニットを介してミキシングコンソール６１、第１の処理ユニット６３および第２の処理ユニット６４で処理されたオーディオ信号をスピーカ等から放音することができる。
【００２６】
次に、接続テンプレート選択画面の選択欄３４において「ＰＭ５Ｄ−ＤＣＵ５Ｄ−−−−−−−ＤＳＰ５Ｄ−ＤＣＵ５Ｄ−−−−−−−ＤＳＰ５Ｄ」の接続テンプレートが選択されて実行ボタン３６が押された際に、表示される接続図７０を図７に示す。選択された接続テンプレートでは、ミキシングコンソール（ＰＭ５Ｄ）と、２台のケーブリングユニット（ＤＣＵ５Ｄ）と、ミキシング処理を行う拡張用の２台の処理ユニット（ＤＳＰ５Ｄ）から音響システムが構成されている。この場合、ミキシングコンソールと１台目のケーブリングユニットとの間がカスケード接続されており、１台目のケーブリングユニットと１台目の処理ユニットとの間がイーサネットで接続されて長い距離で配置され、１台目の処理ユニットと２台目のケーブリングユニットとの間がイーサネットおよびカスケード接続されて、２台目のケーブリングユニットと２台目の処理ユニットとの間がイーサネットで接続されて長い距離で配置されている。
【００２７】
接続図７０に示す接続テンプレートは、接続図６０に示す接続テンプレートの構成に第２のケーブリングユニットを増設した構成とされている。そこで、かかる構成について以下に説明する。
第１の処理ユニット（ＤＳＰ５Ｄ  ＃２）７３のイーサネットの双方向のポート７３ｂは第２のケーブリングユニット（ＤＣＵ５Ｄ）７４のイーサネットの双方向のポート７４ａに接続され、下りの接続経路上には図示しない「１＋２」が表示されてミキシングコンソール（ＰＭ５Ｄ  ＃１）７１および第１の処理ユニット７３で処理された信号が当該接続経路で伝送されることが示されており、上りの接続経路上には図示しない「１＋２＋３」が表示されてミキシングコンソール７１および第１の処理ユニット７３および第２の処理ユニット（ＤＳＰ５Ｄ  ＃３）７４で処理された信号が当該接続経路で伝送されることが示されている。ここで、前述したように１台の機器においてはイーサネットを介して受信できる（取り込める）最大チャンネル数は３２チャンネルとされていることから、第１の処理ユニット７３のポート７３ａにおいて３２チャンネル受信している場合には、ポート７３ｂから信号を取り込めなくなる。そこで、ポート７３ｂからの信号を取り込むことなくスルーしてポート７３ａから出力している。このことが、破線の矢印で示されている。
【００２８】
このように、第１の処理ユニット７３は第２の処理ユニット７５で処理した信号を取り込めないことから、第２のケーブリングユニット７４のカスケード接続の出力ポート７４ｃと第１の処理ユニット７３の入力ポート７３ｃとを接続することにより、第２の処理ユニット７５で処理した信号を第１の処理ユニット７３は取り込むようにしている。なお、出力ポート７４ｃと入力ポート７３ｃとを接続する接続経路上には図示しない「１＋２＋３」が表示されてミキシングコンソール７１、第１の処理ユニット７３および第２の処理ユニット７５で処理された信号が当該接続経路で伝送されることが示されている。これにより、第１の処理ユニット７３においてミキシングコンソール７１および第２の処理ユニット７５で処理された信号も扱えるようになる。そして、第１の処理ユニット７３のカスケード接続の出力ポート７３ｄには外部機器１８とされる出力ユニットを接続することができ、出力ユニットを介してミキシングコンソール７１、第１の処理ユニット７３および第２の処理ユニット７５で処理されたオーディオ信号をスピーカ等から放音することができる。
【００２９】
さらに、第２のケーブリングユニット７４のイーサネットの双方向のポート７４ｂは第２の処理ユニット７５のイーサネットの双方向のポート７５ａに接続され、ポート間を接続する下りの接続経路上には「１＋２」が表示されてミキシングコンソール７１および第１の処理ユニット７３で処理された信号が当該接続経路で伝送されることが示されており、上りの接続経路上には「１＋２＋３」が表示されてミキシングコンソール７１、第１の処理ユニット７３および第２の処理ユニット７５で処理された信号が当該接続経路で伝送されることが示されている。これにより、第２の処理ユニット７５においてミキシングコンソール７１および第２の処理ユニット７３で処理された信号も扱えるようになる。なお、第２のケーブリングユニット７４においてイーサネットのポート７４ｂで受信された信号はカスケード接続の信号に変換されて出力ポート７４ｃから出力される。このことが、破線の矢印で示されている。さらに、第２のケーブリングユニット７４においてもイーサネットを介して受信できる（取り込める）最大チャンネル数は３２チャンネルとされていることから、第２のケーブリングユニット７４のポート７４ａにおいて３２チャンネル受信している場合には、ポート７４ｂから信号を取り込めなくなる。そこで、ポート７４ｂからの信号を取り込むことなくスルーしてポート７４ａから出力している。このことが、破線で示されている。
【００３０】
なお、ミキシングコンソール（ＰＭ５Ｄ  ＃１）７１と第１のケーブリングユニット（ＤＣＵ５Ｄ）７２と第１の処理ユニット（ＤＳＰ５Ｄ  ＃２）７３との間の接続態様は、接続図６０に示す接続態様と同様とされているので、その説明は省略する。
以上説明した接続テンプレートにおける接続経路上で伝送される信号は、ミキシング処理されたオーディオ信号のフレームとミキシングコンソールから処理ユニットを制御するための制御信号とされている。また、接続テンプレートは上記説明した５種類に限るものではないと共に、ユーザが接続テンプレートを予め作成して記憶手段に格納しておくようにしてもよい。
【００３１】
音響システムを設置する際に、構成しようとする音響システムと同様の構成の接続テンプレートをユーザは選択する。そして、音響システムを構成する機器間の接続をしていくと、接続テンプレートの接続態様と実際に接続された機器間の接続状況とがチェックされて、一致しない接続箇所については表示器１６に表示されている選択された接続テンプレートの接続図上にその旨が表示されるようになる。例えば、接続相手先のポートが一致しない場合は当該ポートに「×」印が表示されたり、グレーアウトされて表示されたりするようになる。
なお、接続テンプレートは、「機器の結線状況」を示すものであり、機器の詳細な設定、例えば入力ユニットや出力ユニットにおいてオーディオプラグインカードを挿入するスロットの接続情報までを接続テンプレートの対象とする必要はない。
【００３２】
次に、接続テンプレートのデータテーブルを図８に示す。
図８において、「Connection List」は接続テンプレートのリストであり、図示する場合は「Connection #1」「Connection #2」・・・の接続テンプレートの種類からなるリストとされている。「Connection List」より一つ下の階層である「Unit List」は各接続テンプレートで使用される機器ユニットのリストとされており、図示する場合において「Connection #1」の接続テンプレートではミキシングコンソール「PM5D #1」と処理ユニット「DSP5D #2」が使用され、「Connection #2」の接続テンプレートではミキシングコンソール「PM5D #1」、ケーブリングユニット「DCU5D」と処理ユニット「DSP5D #2」が使用されることが示されている。さらに、「Unit List」より一つ下の階層である「Port Setting List」は、使用されるユニットが有するポートの接続設定を示すリストとされている。
【００３３】
図示する場合においては、「Connection #1」のミキシングコンソール「PM5D #1」が備えるカスケード接続の出力ポート（Cascade Out）の接続先が処理ユニット「DSP5D #2」のカスケード接続の入力ポート（Cascade In）とされ、「PM5D #1」が備えるカスケード接続の入力ポート（Cascade In）の接続先が処理ユニット「DSP5D #2」のカスケード接続の出力ポート（Cascade Out）とされていること、処理ユニット「DSP5D #2」が備えるカスケード接続の出力ポート（Cascade Out）の接続先が「PM5D #1」のカスケード接続の入力ポート（Cascade In）と、「DSP5D #2」が備えるカスケード接続の入力ポート（Cascade In）の接続先が「PM5D #1」のカスケード接続の出力ポート（Cascade Out）と、「DSP5D #2」が備えるイーサネットの出力ポート（EtherSound Out）の接続先が外部機器（Ext.Device）と、「DSP5D #2」が備えるイーサネットの入力ポート（EtherSound In）は不使用（N/A）と設定されていることが示されている。このことから、「Connection #1」の接続テンプレートは図４に示す接続図４０の接続テンプレートのデータテーブルに相当していることがわかる。
【００３４】
また、「Connection #2」のミキシングコンソール「PM5D #1」、ケーブリングユニット「DCU5D」、処理ユニット「DSP5D #2」がそれぞれ備えるポートの接続先が次のように設定されている。
ミキシングコンソール「PM5D #1」では、カスケード接続の出力ポート（Cascade Out）の接続先がケーブリングユニット「DCU5D」のカスケード接続の入力ポート（Cascade In）と、「PM5D #1」が備えるカスケード接続の入力ポート（Cascade In）の接続先がケーブリングユニット「DCU5D」のカスケード接続の出力ポート（Cascade Out）と設定されている。ケーブリングユニット「DCU5D」では、カスケード接続の出力ポート（Cascade Out）の接続先が「PM5D #1」のカスケード接続の入力ポート（Cascade In）と、「DCU5D」が備えるカスケード接続の入力ポート（Cascade In）の接続先が「PM5D #1」のカスケード接続の出力ポート（Cascade Out）と、「DCU5D」が備えるイーサネットの出力ポート（EtherSound Out）の接続先が処理ユニット「DSP5D #2」のイーサネットの入力ポート（EtherSound In）と、「DCU5D」が備えるイーサネットの入力ポート（EtherSound In）は不使用（N/A）と設定されている。
【００３５】
処理ユニット「DSP5D #2」では、カスケード接続の出力ポート（Cascade Out）の接続先が外部機器（Ext.Device）と、「DSP5D #2」が備えるカスケード接続の入力ポート（Cascade In）の接続先が外部機器（Ext.Device）と、「DSP5D #2」が備えるイーサネットの出力ポート（EtherSound Out）は不使用（N/A）と、「DSP5D #2」が備えるイーサネットの入力ポート（EtherSound In）の接続先が「DCU5D」のイーサネットの出力ポート（EtherSound Out）と設定されている。このことから、「Connection #2」の接続テンプレートは図３に示す接続図３０の接続テンプレートのデータテーブルに相当していることがわかる。
なお、上述した接続テンプレートのデータテーブルは、機器と機器とを接続する各ポートに関する接続設定データと、機器に接続される出力ユニットや入力ユニットのポートの接続設定データとから構成されており、出力ユニットや入力ユニットのポートの接続設定データやこれらのユニットに装着するカードを挿入するスロットの接続設定データまでは含まれていない。このように、出力ユニットや入力ユニットは接続チェックの対象としていない。
【００３６】
次に、音響システムにおけるマスタが実行する接続チェック開始処理のフローチャートを図９に示す。図１に示す音響システムにおいては、制御信号を外部機器１８に送り外部機器１８を制御する音響機器１がマスタであり、前述した接続テンプレートの音響システムにおいては処理ユニット（ＤＳＰ５Ｄ）のミキシング処理を制御しているミキシングコンソール（ＰＭ５Ｄ）がマスタとなる。
ユーザが接続チェック開始の操作をしたとき、定期的に起動されるタイミングに達したとき、あるいは、マスタの機器の電源が投入された際に接続チェック開始処理が起動され、ステップＳ１０にて接続チェックコマンドがマスタに接続されている機器ユニットに送信され、チェックコマンドを受信した各機器ユニットにおいて接続チェックの準備処理が実行される。次いで、接続テンプレート選択画面において選択された接続テンプレートの接続設定データがステップＳ１１にてマスタに接続されているユニット機器に送信される。そして、各ユニット機器において受信された接続設定データと当該ユニット機器における各ポートの接続状況とが比較される接続チェック処理がステップＳ１２において実行され、その接続チェック結果をマスタの表示器１６に表示する接続チェック結果表示処理がステップＳ１３にて実行されて接続チェック開始処理は終了する。
【００３７】
次に、マスタで実行される接続チェック開始処理ステップのＳ１３における接続チェック結果表示処理のフローチャートを図１０に示す。
処理ユニット（ＤＳＰ５Ｄ）等のスレーブ機器から接続チェック結果が返ってきた時や接続エラーが生じた時に接続結果表示処理がマスタにおいて起動され、ステップＳ２０にて接続テンプレート選択画面において選択された接続テンプレートの接続設定データと、接続チェック結果との接続データを取得する。次いで、取得された接続設定データと現在の接続状況が表わされている接続チェック結果とがステップＳ２１にて照らし合わされる。そして、ステップＳ２２にて接続設定データと接続結果とを照らし合わした結果から、エラーがセットされている接続箇所が判定される。次いで、ステップＳ２３にて判定されたエラーがセットされている接続箇所について表示器１６に表示されている選択された接続テンプレートの接続図上にその旨を表示する描画処理を行うＵＩ（User Interface）更新処理が行われ、接続結果表示処理は終了する。なお、ＵＩ更新処理ではエラーがセットされている接続箇所のポートに「×」印が表示されたり、グレーアウトして表示されたりする。この場合、当該ポートの相手先のポートにも同様の表示を行うようにしてもよい。
【００３８】
次に、各機器で実行される接続チェック開始処理におけるステップＳ１２の接続チェック処理のフローチャートを図１１に示す。
マスタを含む各機器において接続チェックコマンドを受け取ると、接続チェック処理が各機器において起動される。そして、接続チェック開始処理のステップＳ１１にて送信された接続テンプレートの接続設定データがステップＳ３０にて取得される。次いで、ステップＳ３１にて接続のあるすべてのポートの接続状況をチェックしたか否かが判断されるが、ここでは１回目であることから未チェックのポートがあると判断されてステップＳ３２に進む。ステップＳ３２では、接続のある未チェックのポートについてアクティブセンスやポートＩＤの判別などを利用して現在接続されている接続先のポートがあるか否かが判断される。ここで、接続先のポートがあると判断された場合はステップＳ３３に進み、図８に示す接続テンプレートのデータテーブルにおける該当する接続設定データが参照されて、あると判断されたポートが接続設定データの設定通りのポートか否かが判断される。ここで、あると判断されたポートが接続設定データのポートと一致しないと判断された場合は、ステップＳ３４に分岐してマスターに送信するデータにエラーをセットしステップＳ３５に進む。また、あると判断されたポートが接続設定データのポートに一致すると判断された場合はステップＳ３５に進む。ステップＳ３５においては、対象とするポートを次のポートに移動する処理が行われる。
【００３９】
また、ステップＳ３２において接続先のポートがないと判断された場合はステップＳ３４に分岐してマスタに送信するデータにエラーをセットしステップＳ３５に進む。そして、ステップＳ３５の処理が終了すると、ステップＳ３１に戻り、次にチェック対象となったポートがステップＳ３１にて未チェックのポートと判断されたポートについてステップＳ３２ないしステップＳ３５の処理がについて繰り返し行われる。これにより、ステップＳ３１にて未チェックのポートと判断されたすべてのポートについて接続チェックが行われると、ステップＳ３１にて接続のあるすべてのポートの接続状況をチェックしたと判断されてステップＳ３６へ分岐する。ステップＳ３６では、接続チェック結果をマスタに送信し接続チェック処理は終了する。接続チェック結果は、ポートの実際の接続状況が接続設定データとが不一致となるポートがある場合は、エラーがセットされた接続チェック結果とされる。
【産業上の利用可能性】
【００４０】
以上説明した本発明において、音響システムをミキシングコンソールとしたがこれに限るものではなく、オーディオ信号を処理する汎用の音響システムに適用することができる。また、機器に接続される出力ユニットや入力ユニットにおけるポートの接続チェックは行わないようにしたが、接続テンプレートに出力ユニットや入力ユニットのポートの接続設定データを含ませて、接続テンプレートに出力ユニットや入力ユニットのポートの接続チェックを行うようにしても良い。ただし、これらのユニットに装着するカードを挿入するスロットの位置等の設定については接続チェックの対象外とする。
さらに、イーサネットのポートにおいて受信できる（取り込める）最大チャンネル数を３２チャンネル、送信できる（書き込める）最大チャンネル数を３２チャンネルとしたが、これに限るものではなく６４チャンネルや９６チャンネル等としても良い。さらにまた、接続テンプレートは音響システムのメーカが予め作成してＲＯＭ等に格納されているが、ユーザにおいてよく使用する接続テンプレートを作成して記憶手段に格納するようにしても良い。この場合、接続テンプレートは機器の結線状況を示すものであって、機器の詳細な設定まで接続テンプレートに仕込んでおく必要がないことから、ユーザは容易に接続テンプレートを作成することができる。
【図面の簡単な説明】
【００４１】
【図１】本発明の実施例にかかる音響機器を備える音響システムの概要の構成を示すブロック図である。
【図２】本発明の実施例にかかる音響機器の詳細な構成を示すブロック図である。
【図３】本発明の実施例にかかる音響機器において、表示器に表示される接続テンプレート選択画面の一例を示す図である。
【図４】本発明の実施例にかかる音響機器において、表示器に表示される選択された接続テンプレートの接続図を示す図である。
【図５】本発明の実施例にかかる音響機器において、表示器に表示される選択された異なる接続テンプレートの接続図を示す図である。
【図６】本発明の実施例にかかる音響機器において、表示器に表示される選択されたさらに異なる接続テンプレートの接続図を示す図である。
【図７】本発明の実施例にかかる音響機器において、表示器に表示される選択されたさらに異なる接続テンプレートの接続図を示す図である。
【図８】本発明の実施例にかかる音響機器における接続テンプレートのデータテーブルを示す図である。
【図９】本発明の実施例にかかる音響機器において実行される接続チェック開始処理のフローチャートである。
【図１０】本発明の実施例にかかる音響機器において実行される接続チェック結果表示処理のフローチャートである。
【図１１】本発明にかかる音響システムにおいて実行される接続チェック示処理のフローチャートである。
【符号の説明】
【００４２】
１  音響機器、２  処理回路、３  表示部、４  操作部、５  通信回路、６  通信線、１０  ＣＰＵ、１１  ＲＯＭ、１２  ＲＡＭ、１３  ＤＳＰ、１４  操作子、１５  検出回路、１６  表示器、１７  表示回路、１８  外部機器、１８ａ  通信回路、１８ｂ  処理回路、１９  通信Ｉ／Ｆ、２０  入力部、２１  音声信号入力回路、２２  出力部、２３  音声信号出力回路、２４  通信バス、３０  接続図、３１  ミキシングコンソール、３１ａ  出力ポート、３１ｂ  入力ポート、３２  ケーブリングユニット、３２ａ  入力ポート、３２ｂ  ポート、３２ｃ  出力ポート、３２ｄ  矢印、３３  処理ユニット、３３ａ  ポート、３３ｂ  出力ポート、３３ｃ  入力ポート、３４  選択欄、４０  接続図、４１  ミキシングコンソール、４１ａ  出力ポート、４１ｂ  入力ポート、４２  処理ユニット、４２ａ  入力ポート、４２ｂ  出力ポート、４２ｃ  ポート、５０  接続図、５１  ミキシングコンソール、５１ａ  出力ポート、５１ｂ  入力ポート、５２  第１の処理ユニット、５２ａ  入力ポート、５２ｂ  ポート、５２ｃ  出力ポート、５３  第２の処理ユニット、５３ａ  ポート、５３ｂ  出力ポート、６０  接続図、６１  ミキシングコンソール、６１ａ  出力ポート、６１ｂ  入力ポート、６２  ケーブリングユニット、６２ａ  入力ポート、６２ｂ  ポート、６２ｃ  出力ポート、６２ｄ  矢印、６３  第１の処理ユニット、６３ａ  ポート、６３ｂ  ポート、６３ｃ  入力ポート、６３ｄ  出力ポート、６４  第２の処理ユニット、６４ａ  ポート、６４ｂ  出力ポート、７０  接続図、７１  ミキシングコンソール、７２  第１のケーブリングユニット、７３  第１の処理ユニット、７３ａ  ポート、７３ｂ  ポート、７３ｃ  入力ポート、７３ｄ  出力ポート、７４  第２のケーブリングユニット、７４ａ  ポート、７４ｂ  ポート、７４ｃ  出力ポート、７５  第２の処理ユニット、７５ａ  ポート
【図１】
2008219698.tif 000003
【図２】
2008219698.tif 000004
【図３】
2008219698.tif 000005
【図４】
2008219698.tif 000006
【図５】
2008219698.tif 000007
【図６】
2008219698.tif 000008
【図７】
2008219698.tif 000009
【図８】
2008219698.tif 000010
【図９】
2008219698.tif 000011
【図１０】
2008219698.tif 000012
【図１１】
2008219698.tif 000013